(57)【要約】【課題】スプロケットに付着した塵芥の塊の成長を防止する塵芥搬送用コンベヤを提供すること。【解決手段】コンベヤケース（１１０）内で塵芥（Ｄ）を掻き取って搬送する掻き取り板（１２１）を取り付けたチェーン（１２０）と、このチェーン（１２０）と噛み合う歯部１３１および歯底部１３２を有するスプロケット１３０とを備えた塵芥搬送用コンベヤ１００において、スプロケット１３０の回転によりスプロケット１３０の歯部１３１および歯底部１３２が通過するスリット１５１を有してスプロケット１３０の歯部１３１および歯底部１３２の少なくとも一方に付着した塵芥（Ｄ）のうちスプロケット１３０からスプロケット軸方向へはみ出た部分（Ｄ１）と接触するクリーナ板部１５０を備えている塵芥搬送用コンベヤ１００。【選択図】図２
2013237556.tif 000002
【特許請求の範囲】
【請求項１】
コンベヤケース内で塵芥を掻き取って搬送する掻き取り板を取り付けたチェーンと、該チェーンと噛み合う歯部および歯底部を有するスプロケットとを備えた塵芥搬送用コンベヤにおいて、
前記スプロケットの回転によりスプロケットの歯部および歯底部が通過するスリットを有して前記スプロケットの歯部および歯底部の少なくとも一方に付着した塵芥のうち前記スプロケットからスプロケット軸方向へはみ出た部分と接触するクリーナ板部を備えていることを特徴とする塵芥搬送用コンベヤ。
【請求項２】
前記スプロケットがチェーン張力方向にテークアップ機構によって調整可能に設けられ、
前記クリーナ板部の一端側に設けられた環状部が前記スプロケットの軸部に対して回動自在に取り付けられているとともに他端側に設けられた係合部が前記チェーン張力方向に延設されたガイド部と係合していることを特徴とする請求項１に記載の塵芥搬送用コンベヤ。
【請求項３】
前記クリーナ板部が前記コンベヤケースの水平方向に対して傾いていることを特徴とする請求項１または請求項２に記載の塵芥搬送用コンベヤ。
【請求項４】
前記クリーナ板部のスプロケット外径側部分が、前記クリーナ板部のスプロケット内径側部分よりスプロケットの正転方向下流側に位置していることを特徴とする請求項１乃至請求項３のいずれか１つに記載の塵芥搬送用コンベヤ。
【発明の詳細な説明】
【技術分野】
【０００１】
本発明は、コンベヤケース内で塵芥を掻き取って搬送する掻き取り板を取り付けたチェーンと、このチェーンと噛み合う歯部および歯底部を有するスプロケットとを備えた塵芥搬送用コンベヤに関する。
ここで、「塵芥」とは、紙屑、繊維屑、布屑、針金、紐等、絡み付いたり巻き付いたりなど付着する虞のあるものをいう。
【背景技術】
【０００２】
従来、コンベヤケース内で塵芥を掻き取って搬送する掻き取り板を取り付けたチェーンと、このチェーンと噛み合う歯部および歯底部を有するスプロケットとを備えた塵芥搬送用コンベヤが知られている（例えば、特許文献１参照）。
【先行技術文献】
【特許文献】
【０００３】
【特許文献１】特開２００７−２０４２１０号公報
【発明の概要】
【発明が解決しようとする課題】
【０００４】
しかしながら、上述した従来の塵芥搬送用コンベヤは、スプロケットの周辺にチェーン以外のものがない構造であったため、搬送される塵芥が何らかの原因によりスプロケットの歯部および歯底部に次々に付着し、この付着した塵芥がチェーンによって押圧されながら塊となって徐々に成長してスプロケットのピッチ直径が大きくなり、チェーン外れ等が生じる問題があった。
【０００５】
そこで、本発明は、前述したような従来技術の問題を解決するものであって、すなわち、本発明の目的は、スプロケットに付着した塵芥の塊の成長を防止する塵芥搬送用コンベヤを提供することである。
【課題を解決するための手段】
【０００６】
本請求項１に係る発明は、コンベヤケース内で塵芥を掻き取って搬送する掻き取り板を取り付けたチェーンと、該チェーンと噛み合う歯部および歯底部を有するスプロケットとを備えた塵芥搬送用コンベヤにおいて、前記スプロケットの回転によりスプロケットの歯部および歯底部が通過するスリットを有して前記スプロケットの歯部および歯底部の少なくとも一方に付着した塵芥のうち前記スプロケットからスプロケット軸方向へはみ出た部分と接触するクリーナ板部を備えていることにより、前述した課題を解決するものである。
【０００７】
本請求項２に係る発明は、請求項１に記載された塵芥搬送用コンベヤの構成に加えて、前記スプロケットがチェーン張力方向にテークアップ機構によって調整可能に設けられ、前記クリーナ板部の一端側に設けられた環状部が前記スプロケットの軸部に対して回動自在に取り付けられているとともに他端側に設けられた係合部が前記チェーン張力方向に延設されたガイド部と係合していることにより、前述した課題をさらに解決するものである。
【０００８】
本請求項３に係る発明は、請求項１または請求項２に記載された塵芥搬送用コンベヤの構成に加えて、前記クリーナ板部が前記コンベヤケースの水平方向に対して傾いていることにより、前述した課題をさらに解決するものである。
【０００９】
本請求項４に係る発明は、請求項１乃至請求項３のいずれか１つに記載された塵芥搬送用コンベヤの構成に加えて、前記クリーナ板部のスプロケット外径側部分が、前記クリーナ板部のスプロケット内径側部分よりスプロケットの正転方向下流側に位置していることにより、前述した課題をさらに解決するものである。
【発明の効果】
【００１０】
本発明の塵芥搬送用コンベヤは、コンベヤケース内で塵芥を掻き取って搬送する掻き取り板を取り付けたチェーンと、このチェーンと噛み合う歯部および歯底部を有するスプロケットとを備えたことにより、塵芥を搬送することができるばかりでなく、以下のような特有の効果を奏することができる。
【００１１】
本請求項１に係る発明の塵芥搬送用コンベヤによれば、スプロケットの回転によりスプロケットの歯部および歯底部が通過するスリットを有してスプロケットの歯部および歯底部の少なくとも一方に付着した塵芥のうちスプロケットからスプロケット軸方向へはみ出た部分と接触するクリーナ板部を備えていることにより、クリーナ板部がスプロケットの歯部および歯底部に付着した塵芥のうちのスプロケット軸方向へはみ出た部分と接触して剥ぎ取る際に、塵芥の一体性または塵芥に含まれる粘着性によりスプロケット軸方向へはみ出た部分がスプロケット軸方向へはみ出ていない部分を引っ張るように作用するため、スプロケット軸方向へはみ出た部分だけでなくスプロケット軸方向へはみ出ていない部分をも除去して付着した塵芥の塊の成長を防止することができる。
【００１２】
本請求項２に係る発明の塵芥搬送用コンベヤによれば、請求項１に係る発明が奏する効果に加えて、スプロケットがチェーン張力方向にテークアップ機構によって調整可能に設けられ、クリーナ板部の一端側に設けられた環状部がスプロケットの軸部に対して回動自在に取り付けられているとともに他端側に設けられた係合部がチェーン張力方向に延設されたガイド部と係合していることにより、移動可能なスプロケットにクリーナ板部が追従して移動するため、チェーンが伸びて張力が低下した際にスプロケットの軸部を移動させて張力を強くする所謂、テークアップした場合であってもクリーナ板部の位置の調整をする手間を省くことができる。
【００１３】
本請求項３に係る発明の塵芥搬送用コンベヤによれば、請求項１または請求項２に係る発明が奏する効果に加えて、クリーナ板部がコンベヤケースの水平方向に対して傾いていることにより、クリーナ板部上の既に剥ぎ取られた塵芥に対して自重により低い方向へ移動する力が作用するため、既に剥ぎ取られた塵芥がクリーナ板部上の同じ位置で停滞してクリーナ効果が低下してしまうことを防止できる。
【００１４】
本請求項４に係る発明の塵芥搬送用コンベヤによれば、請求項１乃至請求項３のいずれか１つに係る発明が奏する効果に加えて、クリーナ板部のスプロケット外径側部分が、クリーナ板部のスプロケット内径側部分よりスプロケットの正転方向下流側に位置していることにより、付着した塵芥を引き剥がす方向への力が発生するため、付着した塵芥を剥ぎ取りやすくできる。
さらに、既に剥ぎ取られた塵芥がクリーナ板部上において次に剥ぎ取られる塵芥によってスプロケット外径側へ押されるため、既に剥ぎ取られた塵芥がクリーナ板部上の同じ位置で停滞してクリーナ効果が低下してしまうことをより効果的に防止できる。
【図面の簡単な説明】
【００１５】
【図１】本発明の第１実施例の塵芥搬送用コンベヤの概略側面図。
【図２】本発明の第１実施例のスプロケットおよびクリーナ板部の斜視図。
【図３】本発明の第１実施例のクリーナ板部とその周辺の側面図および平面図。
【図４】本発明の第１実施例のクリーナ板部が塵芥を除去する様子を示す断面図。
【図５】本発明の第２実施例のクリーナ板部およびその周辺の側面図。
【図６】本発明の第３実施例のクリーナ板部が塵芥を除去する様子を示す側面図。
【発明を実施するための形態】
【００１６】
本発明は、コンベヤケース内で塵芥を掻き取って搬送する掻き取り板を取り付けたチェーンと、このチェーンと噛み合う歯部および歯底部を有するスプロケットとを備えた塵芥搬送用コンベヤにおいて、スプロケットの回転によりスプロケットの歯部および歯底部が通過するスリットを有してスプロケットの歯部および歯底部の少なくとも一方に付着した塵芥のうちスプロケットからスプロケット軸方向へはみ出た部分と接触するクリーナ板部を備えていることにより、スプロケット軸方向へはみ出た部分だけでなくスプロケット軸方向へはみ出ていない部分をも除去して付着した塵芥の塊の成長を防止するものであれば、その具体的な実施態様は、如何なるものであっても構わない。
【００１７】
例えば、スプロケットがクリーナ板部に対して相対的に回転する関係であれば、クリーナ板部の取り付け態様は如何なるものであっても構わない。
【実施例１】
【００１８】
以下に、本発明の第１実施例である塵芥搬送用コンベヤ１００について、図１乃至図４に基づいて説明する。
ここで、図１は、本発明の第１実施例の塵芥搬送用コンベヤ１００の概略側面図であり、図２は、本発明の第１実施例のスプロケット１３０およびクリーナ板部１５０の斜視図であり、図３（Ａ）は、本発明の第１実施例のクリーナ板部１５０およびその周辺の側面図であり、図３（Ｂ）は、図３（Ａ）の３Ｂで視たクリーナ板部１５０およびその周辺の平面図であり、図４（Ａ）〜図４（Ｄ）は、図３（Ａ）の４−４で視た断面図であって本発明の第１実施例のクリーナ板部１５０が塵芥Ｄを除去する様子を示す断面図である。
【００１９】
このうち、図４（Ａ）は、塵芥Ｄがクリーナ板部１５０と接触する前の状態であり、図４（Ｂ）は、図４（Ａ）の状態からスプロケット１３０が回転して塵芥Ｄのはみ出た部分Ｄ１がクリーナ板部１５０と接触した状態であり、図４（Ｃ）は、図４（Ｂ）の状態からスプロケット１３０がさらに回転して塵芥Ｄのはみ出た部分Ｄ１がはみ出ていない部分を引っ張るように作用している状態であり、図４（Ｄ）は、図４（Ｃ）の状態からスプロケット１３０がさらに回転して塵芥Ｄのはみ出ていなかった部分が引っ張られて歯底部１３２および歯部１３１から除去された状態である。
【００２０】
本発明の第１実施例である塵芥搬送用コンベヤ１００は、図１乃至図４に示すように、コンベヤケース１１０内で塵芥Ｄを掻き取って搬送する掻き取り板１２１を取り付けたチェーン１２０と、このチェーン１２０と噛み合う歯部１３１（１４１）および歯底部１３２（１４２）を有するスプロケット１３０（１４０）とを備えている。
チェーン１２０およびスプロケット１３０（１４０）は、掻き取り板１２１の左右両側に一対設けられている。
【００２１】
このうち、スプロケット１３０（１４０）は図示しないモータの動力によって駆動する駆動側のスプロケット１３０と従動側のスプロケット１４０とから構成されており、無端状のチェーン１２０が駆動側のスプロケット１３０および従動側のスプロケット１４０に掛け回されている。
【００２２】
従動側のスプロケット１４０は、チェーン張力方向へ公知のテークアップ機構１８０によって調整可能に設けられている。
テークアップ機構１８０は、使用によってチェーン１２０が徐々に伸びた場合にチェーン１２０の張力が低下する傾向があり、チェーン１２０の張力が強くなる側に従動側のスプロケット１４０の軸部１４３を移動させて張力を所定の大きさに保つための機構である。
【００２３】
また、長尺に設けられたコンベヤケース１１０の一端側には、投入口１１１が設けられており、他端側には、排出口１１２が設けられている。
そして、駆動側のスプロケット１３０が駆動することによりチェーン１２０に取り付けられた掻き取り板１２１が、投入口１１１から投入された塵芥Ｄをコンベヤケース１１０内で掻き取りながら排出口１１２まで搬送することにより、塵芥Ｄが排出口１１２から排出される。
【００２４】
さらに、塵芥搬送用コンベヤ１００は、スプロケット１３０の回転によりスプロケット１３０の歯部１３１および歯底部１３２が通過するスリット１５１を有してスプロケット１３０の歯部１３１および歯底部１３２の少なくとも一方に付着した塵芥Ｄのうちスプロケット１３０からスプロケット軸方向へはみ出た部分Ｄ１と接触するクリーナ板部１５０を備えている。
これにより、クリーナ板部１５０がスプロケット１３０の歯部１３１および歯底部１３２に付着した塵芥Ｄのうちのスプロケット１３０からスプロケット軸方向へはみ出た部分Ｄ１と接触して剥ぎ取る際に、塵芥Ｄの一体性または塵芥Ｄに含まれる粘着性によりスプロケット１３０からスプロケット軸方向へはみ出た部分Ｄ１がスプロケット１３０からスプロケット軸方向へはみ出ていない部分を引っ張るように作用する。
【００２５】
なお、クリーナ板部１５０は、駆動側のスプロケット１３０および従動側のスプロケット１４０の両方に配設されているが、両者の形態が異なるので、駆動側のスプロケット１３０に設けられたクリーナ板部１５０を第１実施例で説明することとし、従動側のスプロケット１４０に設けられたクリーナ板部１５０を第２実施例で説明することとする。
【００２６】
より詳細に説明すると、図２、図３（Ａ）および図３（Ｂ）に示すように、クリーナ板部１５０の一端側に設けられた環状部１５２がスプロケット１３０の軸部１３３に回動自在に取り付けられており、クリーナ板部１５０の他端側が回動規制部１６０によって固定されている。
これにより、スプロケット１３０が回転した場合であっても、クリーナ板部１５０は回転せずに常に一定の姿勢を保つことができる。
【００２７】
さらに、図２および図３（Ｂ）に示すように、スプロケット１３０の軸部１３３における環状部１５２を基準としたスプロケット１３０と反対側には、ストッパー部材１７０がこの軸部１３３と一体に回転するように設けられている。
これにより、スプロケット１３０の軸方向でのクリーナ板部１５０の位置を所定の位置に保つことができる。
【００２８】
続いて、クリーナ板部１５０がスプロケット１３０の歯部１３１および歯底部１３２に付着した塵芥Ｄを除去する様子について詳しく説明する。
図４（Ａ）に示すように、塵芥Ｄが歯部１３１および歯底部１３２の少なくとも一方に付着した場合、チェーン１２０がスプロケット１３０に噛み合った際に塵芥Ｄがチェーン１２０に押圧されることにより、歯部１３１および歯底部１３２からスプロケット軸方向へはみ出る傾向があり、スプロケット１３０の回転に伴って塵芥Ｄのはみ出た部分Ｄ１がクリーナ板部１５０に徐々に接近する。
【００２９】
そして、図４（Ｂ）に示すように、塵芥Ｄのはみ出た部分Ｄ１がクリーナ板部１５０と接触する。
その後、図４（Ｃ）に示すように、塵芥Ｄのはみ出た部分Ｄ１がクリーナ板部１５０によって剥ぎ取られるようにしてスプロケット１３０から除去されようとする。
このとき、塵芥Ｄの一体性または塵芥Ｄに含まれる粘着性によりはみ出た部分Ｄ１がスプロケット軸方向へはみ出ていない部分を引っ張るように作用する。
【００３０】
その後、図４（Ｃ）の塵芥Ｄのはみ出た部分Ｄ１がクリーナ板部１５０に引っかかっている状態からスプロケット１３０がさらに回転すると、図４（Ｄ）に示すように、塵芥Ｄの当初はみ出ていなかった部分が引っ張られて当初はみ出ていなかった部分の少なくとも一部がスプロケット１３０から除去される。
【００３１】
また、図３（Ａ）に示すように、クリーナ板部１５０がコンベヤケース１１０の水平方向に対して傾いている。
これにより、クリーナ板部１５０上の既に剥ぎ取られた塵芥Ｄに対して自重により低い方向へ移動する力が作用する。
【００３２】
このようにして得られた本発明の第１実施例である塵芥搬送用コンベヤ１００は、スプロケット１３０の回転によりスプロケット１３０の歯部１３１および歯底部１３２が通過するスリット１５１を有してスプロケット１３０の歯部１３１および歯底部１３２の少なくとも一方に付着した塵芥Ｄのうちスプロケット１３０からスプロケット軸方向へはみ出た部分Ｄ１と接触するクリーナ板部１５０を備えていることにより、塵芥Ｄのスプロケット軸方向へはみ出た部分Ｄ１だけでなくスプロケット軸方向へはみ出ていない部分をも除去して付着した塵芥Ｄの塊の成長を防止することができる。
【００３３】
また、クリーナ板部１５０がコンベヤケース１１０の水平方向に対して傾いていることにより、既に剥ぎ取られた塵芥Ｄがクリーナ板部１５０上の同じ位置で停滞してクリーナ効果が低下してしまうことを防止できるなど、その効果は甚大である。
【実施例２】
【００３４】
続いて、本発明の第２実施例である塵芥搬送用コンベヤ２００について、図５（Ａ）および図５（Ｂ）に基づいて説明する。
ここで、図５（Ａ）および図５（Ｂ）は、本発明の第２実施例のクリーナ板部２５０およびその周辺の側面図である。
このうち、図５（Ａ）は、スプロケット２４０が第１の位置にある状態であり、図５（Ｂ）は、テークアップ機構１８０（図１参照）によってスプロケット２４０が第１の位置から第２の位置へ移動した状態である。
【００３５】
第２実施例の塵芥搬送用コンベヤ２００は、第１実施例の塵芥搬送用コンベヤ１００の駆動側のスプロケット１３０をテークアップ機構１８０（図１参照）によって調整可能な従動側のスプロケット２４０（１４０）に変更するとともに回動規制部１６０を係合部２５３およびガイド部２９０に変更したものであり、多くの要素について第１実施例の塵芥搬送用コンベヤ１００と共通するので、共通する事項については詳しい説明を省略し、下２桁が共通する２００番台の符号を付すのみとする。
なお、図示しない第２実施例のコンベヤケースおよびテークアップ機構は、第１実施例のコンベヤケース１１０およびテークアップ機構１８０と同じであるので、同じ符号を用いることとする。
【００３６】
本発明の第２実施例である塵芥搬送用コンベヤ２００は、図５（Ａ）および図５（Ｂ）に示すように、コンベヤケース１１０内で塵芥Ｄを掻き取って搬送する掻き取り板２２１を取り付けたチェーン２２０と、このチェーン２２０と噛み合う歯部２４１および歯底部２４２を有するスプロケット２４０とを備えている。
【００３７】
さらに、塵芥搬送用コンベヤ２００は、スプロケット２４０の回転によりスプロケット２４０の歯部２４１および歯底部２４２が通過するスリット２５１を有してスプロケット２４０の歯部２４１および歯底部２４２の少なくとも一方に付着した塵芥Ｄのうちスプロケット２４０からスプロケット軸方向へはみ出た部分Ｄ１と接触するクリーナ板部２５０を備えている。
これにより、クリーナ板部２５０がスプロケット２４０の歯部２４１および歯底部２４２に付着した塵芥Ｄのうちのスプロケット軸方向へはみ出た部分Ｄ１と接触して剥ぎ取る際に、塵芥Ｄの一体性または塵芥Ｄに含まれる粘着性によりスプロケット軸方向へはみ出た部分Ｄ１がスプロケット軸方向へはみ出ていない部分を引っ張るように作用する。
【００３８】
また、スプロケット２４０がチェーン張力方向にテークアップ機構１８０（図１参照）によって調整可能に設けられ、クリーナ板部２５０の一端側に設けられた環状部２５２がスプロケット２４０の軸部２４３に対して回動自在に取り付けられているとともに他端側に設けられた係合部２５３がチェーン張力方向に延設されたガイド部２９０と係合している。
具体的には、クリーナ板部２５０の一部と係合部２５３とがガイド部２９０に対してスライド可能にこのガイド部２９０を挟むようにして設けられている。
これにより、位置を調整可能なスプロケット２４０にクリーナ板部２５０が追従して移動する。
また、スプロケット２４０が回転した場合であっても、クリーナ板部２５０は回転せずに常に一定の姿勢を保つことができる。
【００３９】
このようにして得られた本発明の第２実施例である塵芥搬送用コンベヤ２００は、スプロケット２４０の回転によりスプロケット２４０の歯部２４１および歯底部２４２が通過するスリット２５１を有してスプロケット２４０の歯部２４１および歯底部２４２の少なくとも一方に付着した塵芥Ｄのうちスプロケット２４０からスプロケット軸方向へはみ出た部分Ｄ１と接触するクリーナ板部２５０を備えていることにより、塵芥Ｄのスプロケット軸方向へはみ出た部分Ｄ１だけでなくスプロケット軸方向へはみ出ていない部分をも除去して付着した塵芥Ｄの塊の成長を防止することができる。
【００４０】
また、スプロケット２４０がチェーン張力方向にテークアップ機構１８０（図１参照）によって調整可能に設けられ、クリーナ板部２５０の一端側に設けられた環状部２５２がスプロケット２４０の軸部２４３に対して回動自在に取り付けられているとともに他端側に設けられた係合部２５３がチェーン張力方向に延設されたガイド部２９０と係合していることにより、チェーン２２０が伸びて張力が低下した際にスプロケット２４０の軸部２４３を移動させて張力を強くする所謂、テークアップした場合であってもクリーナ板部２５０の位置の調整をする手間を省くことができるなど、その効果は甚大である。
【実施例３】
【００４１】
続いて、本発明の第３実施例である塵芥搬送用コンベヤ３００について、図６（Ａ）乃至図６（Ｄ）に基づいて説明する。
ここで、図６（Ａ）乃至図６（Ｄ）は、本発明の第３実施例のクリーナ板部３５０が塵芥Ｄを除去する様子を示す側面図である。
【００４２】
このうち、図６（Ａ）は、先行する塵芥Ｄがクリーナ板部３５０と接触したときの状態であり、図６（Ｂ）は、図６（Ａ）の状態からスプロケット３３０が回転して先行する塵芥Ｄがスプロケット３３０から除去された状態であり、図６（Ｃ）は、図６（Ｂ）の状態からスプロケット３３０がさらに回転して後続の塵芥Ｄ’がクリーナ板部３５０と接触したときの状態であり、図６（Ｄ）は、図６（Ｃ）の状態からスプロケット３３０がさらに回転して後続の塵芥Ｄ’がスプロケット３３０から除去されるとともに先行した塵芥Ｄを押して移動させた状態である。
【００４３】
第３実施例の塵芥搬送用コンベヤ３００は、第１実施例の塵芥搬送用コンベヤ１００のクリーナ板部１５０の姿勢を変更したものであり、多くの要素について第１実施例の塵芥搬送用コンベヤ１００と共通するので、共通する事項については詳しい説明を省略し、下２桁が共通する３００番台の符号を付すのみとする。
なお、図示しない第３実施例のコンベヤケースは、第１実施例のコンベヤケース１１０と同じであるので、同じ符号を用いることとする。
【００４４】
本発明の第３実施例である塵芥搬送用コンベヤ３００は、図６（Ａ）乃至図６（Ｄ）に示すように、コンベヤケース１１０内で塵芥Ｄを掻き取って搬送する掻き取り板３２１を取り付けたチェーン３２０と、このチェーン３２０と噛み合う歯部３３１および歯底部３３２を有するスプロケット３３０とを備えている。
【００４５】
さらに、塵芥搬送用コンベヤ３００は、スプロケット３３０の回転によりスプロケット３３０の歯部３３１および歯底部３３２が通過するスリット３５１を有してスプロケット３３０の歯部３３１および歯底部３３２の少なくとも一方に付着した塵芥Ｄのうちスプロケット３３０からスプロケット軸方向へはみ出た部分Ｄ１と接触するクリーナ板部３５０を備えている。
これにより、クリーナ板部３５０がスプロケット３３０の歯部３３１および歯底部３３２に付着した塵芥Ｄのうちのスプロケット軸方向へはみ出た部分Ｄ１と接触して剥ぎ取る際に、塵芥Ｄの一体性または塵芥Ｄに含まれる粘着性によりスプロケット軸方向へはみ出た部分Ｄ１がスプロケット軸方向へはみ出ていない部分を引っ張るように作用する。
【００４６】
また、クリーナ板部３５０の一端側に設けられた環状部３５２がスプロケット３３０の軸部３３３に回動自在に取り付けられており、クリーナ板部３５０の他端側が回動規制部３６０によって固定されている。
さらに、クリーナ板部３５０のスプロケット外径側部分３５０ａが、クリーナ板部３５０のスプロケット内径側部分３５０ｂよりスプロケット３３０の正転方向下流側に位置している。
これにより、付着した塵芥Ｄを引き剥がす方向への力が発生する。
さらに、既に剥ぎ取られた塵芥Ｄがクリーナ板部３５０上において次に剥ぎ取られる塵芥Ｄ’によってスプロケット外径側へ押される。
【００４７】
より詳細に説明すると、図６（Ａ）に示すように、歯部３３１および歯底部３３２の少なくとも一方に付着した塵芥Ｄのはみ出た部分Ｄ１がクリーナ板部３５０に接近して当接する。
このとき、クリーナ板部３５０のスプロケット外径側部分３５０ａがクリーナ板部３５０のスプロケット内径側部分３５０ｂよりスプロケット３３０の正転方向下流側に位置していることにより、スプロケット３３０の正転回転に伴って塵芥Ｄをスプロケット３３０から径方向外側へ引き剥がす力が作用する。
【００４８】
そして、図６（Ｂ）に示すように、塵芥Ｄの少なくともはみ出た部分Ｄ１がスプロケット３３０から除去される。
続いて、図６（Ｃ）に示すように、スプロケット３３０に付着した後続の塵芥Ｄ’のはみ出た部分Ｄ１’がクリーナ板部３５０に接近して当接する。
このとき、先行した塵芥Ｄ（Ｄ１）のときと同様、クリーナ板部３５０のスプロケット外径側部分３５０ａがクリーナ板部３５０のスプロケット内径側部分３５０ｂよりスプロケット３３０の正転方向下流側に位置していることにより、スプロケット３３０の正転回転に伴って後続の塵芥Ｄ’のはみ出た部分Ｄ１’をスプロケット３３０から径方向外側へ引き剥がす力が作用する。
【００４９】
そして、図６（Ｄ）に示すように、後続の塵芥Ｄ’の少なくともはみ出た部分Ｄ１’がスプロケット３３０から除去される。
このとき、既に剥ぎ取られた先行した塵芥Ｄ（Ｄ１）がクリーナ板部３５０上において後続の剥ぎ取られる塵芥Ｄ’（Ｄ１’）によってスプロケット外径側へ押される。
【００５０】
このようにして得られた本発明の第３実施例である塵芥搬送用コンベヤ３００は、スプロケット３３０の回転によりスプロケット３３０の歯部３３１および歯底部３３２が通過するスリット３５１を有してスプロケット３３０の歯部３３１および歯底部３３２の少なくとも一方に付着した塵芥Ｄ（Ｄ’）のうちスプロケット３３０からスプロケット軸方向へはみ出た部分Ｄ１（Ｄ１’）と接触するクリーナ板部３５０を備えていることにより、塵芥Ｄ（Ｄ’）のスプロケット軸方向へはみ出た部分Ｄ１（Ｄ１’）だけでなくスプロケット軸方向へはみ出ていない部分をも除去して付着した塵芥Ｄ（Ｄ’）の塊の成長を防止することができる。
【００５１】
また、クリーナ板部３５０のスプロケット外径側部分３５０ａが、クリーナ板部３５０のスプロケット内径側部分３５０ｂよりスプロケット３３０の正転方向下流側に位置していることにより、付着した塵芥Ｄ（Ｄ’）を剥ぎ取りやすくできるとともに、既に剥ぎ取られた塵芥Ｄがクリーナ板部３５０上の同じ位置で停滞してクリーナ効果が低下してしまうことをより効果的に防止できるなど、その効果は甚大である。
【符号の説明】
【００５２】
１００、２００、３００  ・・・  塵芥搬送用コンベヤ
１１０                  ・・・  コンベヤケース
１１１                  ・・・  投入口
１１２                  ・・・  排出口
１２０、２２０、３２０  ・・・  チェーン
１２１、２２１、３２１  ・・・  掻き取り板
１３０、        ３３０  ・・・  （駆動側）スプロケット
１３１、        ３３１  ・・・  歯部
１３２、        ３３２  ・・・  歯底部
１３３、        ３３３  ・・・  軸部
１４０、２４０          ・・・  （従動側）スプロケット
１４１、２４１          ・・・  歯部
１４２、２４２          ・・・  歯底部
１４３、２４３          ・・・  軸部
１５０、２５０、３５０  ・・・  クリーナ板部
３５０ａ・・・  外径側部分
３５０ｂ・・・  内径側部分
１５１、２５１、３５１  ・・・  スリット
１５２、２５２、３５２  ・・・  環状部
２５３          ・・・  係合部
１６０、        ３６０  ・・・  回動規制部
１７０                  ・・・  ストッパー部材
１８０                  ・・・  テークアップ機構
２９０          ・・・  ガイド部
Ｄ、Ｄ’                ・・・  塵芥
Ｄ１、Ｄ１’            ・・・  塵芥のはみ出た部分
【図１】
2013237556.tif 000003
【図２】
2013237556.tif 000004
【図３】
2013237556.tif 000005
【図４】
2013237556.tif 000006
【図５】
2013237556.tif 000007
【図６】
2013237556.tif 000008